【手続補正書】
【提出日】平成16年11月8日(2004.11.8)
【手続補正１】
【補正対象書類名】明細書
【補正対象項目名】発明の名称
【補正方法】変更
【補正の内容】
【発明の名称】携帯型情報処理装置および方法、並びにプログラム
【手続補正２】
【補正対象書類名】明細書
【補正対象項目名】特許請求の範囲
【補正方法】変更
【補正の内容】
【特許請求の範囲】
【請求項１】
本体部、および、第１の軸を中心として回動して前記本体部に対して開閉自在とされるとともに、前記第１の軸に対して垂直な第２の軸を中心として前記本体部に対して回動自在に支持される表示部とを備える携帯型情報処理装置において、
前記表示部の前記第２の軸を中心とする第１の回動角度を検出する第１の検出手段と、
前記第１の検出手段により検出された前記第１の回動角度が、第１の範囲である場合、前記表示部に画像を第１の状態で表示させ、前記第１の範囲から外れた場合、前記表示部に前記画像を、前記第１の状態に対して、上下左右を反転させた第２の状態で表示させるように制御する表示制御手段と
を有することを特徴とする携帯型情報処理装置。
【請求項２】
前記第１の範囲は、略０度以上略１８０度未満までの範囲である
ことを特徴とする請求項１に記載の携帯型情報処理装置。
【請求項３】
前記第１の軸と略平行な第３の軸を中心として、前記本体部に対して回動自在に支持され、かつ、被写体を撮像する撮像手段と、
前記撮像手段の前記第３の軸を中心とする第２の回動角度を検出する第２の検出手段と
をさらに備え、
前記表示制御手段は、さらに、前記第２の検出手段により検出された前記第２の回動角度が、第２の範囲である場合、前記表示部に、前記撮像手段により撮像された前記画像を第３の状態で表示させ、前記第２の範囲から外れた場合、前記撮像手段により撮像された前記画像を、前記第３の状態に対して、上下を反転させた第４の状態で表示させるように制御する
ことを特徴とする請求項１に記載の携帯型情報処理装置。
【請求項４】
前記第３の軸は、前記第１の軸と略同軸である
ことを特徴とする請求項３に記載の携帯型情報処理装置。
【請求項５】
前記第２の範囲は、前記表示部が前記本体部に対して開閉可能な範囲に略対応する範囲である
ことを特徴とする請求項３に記載の携帯型情報処理装置。
【請求項６】
前記表示部の前記本体部に対する開閉状態を検出する第３の検出手段をさらに備え、
前記表示制御手段は、さらに、前記第３の検出手段により前記表示部が閉状態であることが検出され、かつ、前記第１の検出手段により検出された前記第１の回動角度が前記第１の範囲である場合、前記画像の表示を禁止する
ことを特徴とする請求項３に記載の携帯型情報処理装置。
【請求項７】
前記第３の検出手段は、前記表示部が、前記第１の軸を中心として回動して前記本体部に対して開閉される場合の、前記表示部の前記第１の軸を中心とする第３の回動角度をさらに検出し、
前記第３の検出手段により検出された前記第３の回動角度が、第３の範囲である場合、所定の機能の実行を禁止する実行禁止手段をさらに有する
ことを特徴とする請求項６に記載の携帯型情報処理装置。
【請求項８】
前記第３の範囲は、略０度以上、略４５度未満までの範囲である
ことを特徴とする請求項７に記載の携帯型情報処理装置。
【請求項９】
前記第３の範囲は、略０度である
ことを特徴とする請求項７に記載の携帯型情報処理装置。
【請求項１０】
前記第３の範囲は、略０度以上、略３０度以下までの範囲である
ことを特徴とする請求項７に記載の携帯型情報処理装置。
【請求項１１】
前記表示部は、前記画像を表示する表示面上に積層され、前記表示面に対する操作を検知するタッチパネルをさらに有し、
前記本体部は、前記タッチパネルにより検出された前記操作に対応する所定の情報を取得する取得手段をさらに有し、
前記表示制御手段は、前記表示部の前記表示面の所定の領域に、前記タッチパネルを利用して情報を入力するための情報入力用の前記画像を表示させるようにさらに制御する
ことを特徴とする請求項１に記載の携帯型情報処理装置。
【請求項１２】
前記表示制御手段は、前記情報入力用の画像として、所定の規則で規定されている文字群のうちの任意の文字を入力するための文字入力エリアを表す前記画像を表示させ、
前記タッチパネルは、前記文字入力エリアに対する操作の軌跡を検知し、
前記取得手段は、前記文字群の中から、前記タッチパネルにより検知された前記軌跡に対応する文字を取得する
ことを特徴とする請求項１１に記載の携帯型情報処理装置。
【請求項１３】
前記表示制御手段は、前記情報入力用の画像として、複数のキーから構成されるキーボードを表す前記画像を表示させ、
前記タッチパネルは、前記キーボードに対する操作に対応する座標を検知し、
前記取得手段は、前記キーボードの前記複数のキーの中から、前記タッチパネルにより検知された前記座標に対応する前記キーを認識し、認識した前記キーに割り当てられている情報を取得する
ことを特徴とする請求項１１に記載の携帯型情報処理装置。
【請求項１４】
前記本体部の所定の位置であって、前記表示部が前記第２の軸を中心として前記本体部に対して回動されても、前記表示部が接触しない前記位置に配置される、所定の情報を入力する入力手段をさらに有する
ことを特徴とする請求項１に記載の携帯型情報処理装置。
【請求項１５】
前記表示部に表示される前記画像を、第1の形式により記憶する記憶手段と、
前記記憶手段に記憶された前記画像の形式を、前記第1の形式から第２の形式に変換する変換手段と、
前記変換手段により前記第２の形式に変換された前記画像を、他の情報処理装置に提供する提供手段と
をさらに有することを特徴とする請求項１に記載の携帯型情報処理装置。
【請求項１６】
前記表示制御手段は、前記提供手段により前記画像が前記他の情報処理装置に提供される前に、前記画像を前記第２の形式で提供することを表す情報を生成し、生成した前記情報を表示させるように制御する
ことを特徴とする請求項１５に記載の携帯型情報処理装置。
【請求項１７】
本体部、および、第１の軸を中心として回動して前記本体部に対して開閉自在とされるとともに、前記第１の軸に対して垂直な第２の軸を中心として前記本体部に対して回動自在に支持される表示部とを備える携帯型情報処理装置の情報処理方法において、
前記表示部の前記第２の軸を中心とする回動角度を検出する検出ステップと、
前記第１の検出ステップの処理により検出された前記回動角度が、所定の範囲である場合、前記表示部に画像を第１の状態で表示させ、前記範囲から外れた場合、前記表示部に前記画像を、前記第１の状態に対して、上下左右を反転させた第２の状態で表示させるように制御する表示制御ステップと
を含むことを特徴とする情報処理方法。
【請求項１８】
本体部、および、第１の軸を中心として回動して前記本体部に対して開閉自在とされるとともに、前記第１の軸に対して垂直な第２の軸を中心として前記本体部に対して回動自在に支持される表示部とを備える携帯型情報処理装置を制御するコンピュータに、
前記表示部の前記第２の軸を中心とする回動角度を検出する検出ステップと、
前記第１の検出ステップの処理により検出された前記回動角度が、所定の範囲である場合、前記表示部に画像を第１の状態で表示させ、前記範囲から外れた場合、前記表示部に前記画像を、前記第１の状態に対して、上下左右を反転させた第２の状態で表示させるように制御する表示制御ステップと
を実行させることを特徴とするプログラム。
【請求項１９】
画像を表示する表示部を備える携帯型情報処理装置において、
所定の条件が満たされた場合、所定の前記画像を、前記表示部の表示面に対して平行に所定の角度だけ回動させて、前記表示面に表示させるように制御する表示制御手段を備える
ことを特徴とする携帯型情報処理装置。
【請求項２０】
前記携帯型情報処理装置が、前記表示面に対して平行に略９０度だけ回動されたことを表す情報を入力する入力手段をさらに設け、
前記表示制御手段は、前記入力手段により前記情報が入力された場合、前記画像を、前記表示面に対して平行に略９０度だけ回動させて、前記表示面に表示させるように制御する
ことを特徴とする請求項１９に記載の携帯型情報処理装置。
【請求項２１】
被写体を撮像する撮像手段と、
前記撮像手段により撮像された前記被写体の前記画像を記憶する記憶手段と、
前記条件が満たされた場合、前記撮像手段により撮像された前記被写体の前記画像を、前記表示面に対して前記角度だけ回動させて、前記記憶手段に記憶させるように制御する記憶制御手段と
をさらに備えることを特徴とする請求項１９に記載の携帯型情報処理装置。
【請求項２２】
画像を表示する表示部を備える携帯型情報処理装置の情報処理方法において、
所定の条件が満たされた場合、所定の前記画像を、前記表示部の表示面に対して平行に所定の角度だけ回動させて、前記表示面に表示させるように制御する表示制御ステップを含む
ことを特徴とする情報処理方法。
【請求項２３】
画像を表示する表示部を備える携帯型情報処理装置を制御するコンピュータに、
所定の条件が満たされた場合、所定の前記画像を、前記表示部の表示面に対して平行に所定の角度だけ回動させて、前記表示面に表示させるように制御する表示制御ステップを実行させる
ことを特徴とするプログラム。
【請求項２４】
所定の情報を入力する入力手段を有する本体部及び第１の軸を中心として回動して前記本体部に対して開閉自在とされるとともに、前記第１の軸に対して垂直な第２の軸を中心として前記本体部に対して回動自在に支持される表示部とを備える情報処理装置において、
前記第２の軸を中心とする回動角度が略0度である第１の状態と、前記表示部を前記第２の軸を中心として略180度回動させ、かつ、前記第１の軸を中心として回動させ、前記本体部に対して閉じた第２の状態とで、前記表示部に表示させる画像の向きを変更する表示制御手段を
備えることを特徴とする情報処理装置。
【手続補正３】
【補正対象書類名】明細書
【補正対象項目名】０００１
【補正方法】変更
【補正の内容】
【０００１】
【発明の属する技術分野】
本発明は、携帯型情報処理装置および方法、並びにプログラムに関し、特に、ユーザにとって適切な位置に画像を表示させることができるようにした携帯型情報処理装置および方法、並びにプログラムに関する。
【手続補正４】
【補正対象書類名】明細書
【補正対象項目名】００２４
【補正方法】削除
【補正の内容】
【手続補正５】
【補正対象書類名】明細書
【補正対象項目名】００２６
【補正方法】変更
【補正の内容】
【００２６】
本発明の第１の携帯型情報処理装置および方法、並びに、第１のプログラムにおいては、本体部に対して開閉する場合に利用する第１の軸に対して垂直な第２の軸を中心として、表示部が回動されると、その第２の軸を中心とする回動角度が検出され、検出された回動角度が所定の範囲から外れた場合、表示部に画像が、その範囲を超えない場合に表示される第１の状態に対して、上下左右を反転させた第２の状態で表示される。
【手続補正６】
【補正対象書類名】明細書
【補正対象項目名】００３１
【補正方法】削除
【補正の内容】
【手続補正７】
【補正対象書類名】明細書
【補正対象項目名】００３３
【補正方法】変更
【補正の内容】
【００３３】
本発明の第２の携帯型情報処理装置および方法、並びに、第２のプログラムにおいては、所定の条件が満たされた場合、所定の画像が、表示部の表示面に対して平行に所定の角度だけ回動されて、表示面に表示される。
本発明の第３の携帯型情報処理装置は、所定の情報を入力する入力手段を有する本体部及び第１の軸を中心として回動して本体部に対して開閉自在とされるとともに、第１の軸に対して垂直な第２の軸を中心として本体部に対して回動自在に支持される表示部とを備える情報処理装置であって、第２の軸を中心とする回動角度が略0度である第１の状態と、表示部を第２の軸を中心として略180度回動させ、かつ、第１の軸を中心として回動させ、本体部に対して閉じた第２の状態とで、表示部に表示させる画像の向きを変更する表示制御手段を備えることを特徴とする。
本発明の第３の携帯型情報処理装置においては、所定の情報を入力する入力手段を有する本体部及び第１の軸を中心として回動して本体部に対して開閉自在とされるとともに、第１の軸に対して垂直な第２の軸を中心として本体部に対して回動自在に支持される表示部とが設けられており、第２の軸を中心とする回動角度が略0度である第１の状態と、表示部を第２の軸を中心として略180度回動させ、かつ、第１の軸を中心として回動させ、本体部に対して閉じた第２の状態とで、表示部に表示される画像の向きが変更される。